(57)【要約】【課題】  部品点数を少なくすることができて簡単な錠前カバーを提供する。【解決手段】  シリンダ錠１の鍵孔から離れた位置に係合ピン５を突設すると共に、反対側に有底の軸穴６を凹設し、一方、シリンダ錠の前面を覆う形状で厚肉のカバー体７の内面中央に、シリンダ錠のキーガイドとの干渉を避けるための逃げ穴９を、上記係合ピン５と整合する部分にこれと嵌合する係合孔１１を夫々凹設すると共に、上記軸穴と整合する部分に市販のボルト１５を挿通させ、このボルトの基部に、頭部との間にカバー体７を挟むようにして、上記軸穴と回動可能に嵌合する外径を有するカラー１６を嵌装し、このカラーをボルトの雄ねじ部に嵌着された止め輪１７で固定し、軸穴の底部に形成した雌ねじ部にボルトの先端部を螺合させる。【選択図】  図１
2005344364.tif 000002
【特許請求の範囲】
【請求項１】
内筒にマンホール蓋を錠止するためのカムを一体に結合し、鍵孔を開口させた前面を上にしてマンホール蓋に埋設されたシリンダ錠において、その前面の鍵孔から離れた位置に係合ピンを突設すると共に、鍵孔に関しこの係合ピンと対称的な位置に有底の軸穴を凹設し、一方、シリンダ錠の前面を覆う形状で厚肉のカバー体の内面中央に、鍵孔を開口させたシリンダ錠のキーガイドとの干渉を避けるための逃げ穴を、上記係合ピンと整合する部分にこれと嵌合する係合孔を夫々凹設すると共に、上記軸穴と整合する部分に、外面から内面に向かって、円形の上面にレンチ穴を開口させたボルトの頭部が収納される凹陥部と、ボルトの雄ねじ部が通る挿通孔とを連設し、他方、雄ねじ部を外面からカバー体に挿通させ、頭部を凹陥部に収納させたボルトの基部に、頭部との間にカバー体を挟むようにして、上記軸穴と回動可能に嵌合する外径を有するカラーを嵌装し、このカラーをボルトの雄ねじ部に嵌着された止め輪で固定し、軸穴の底部に形成した雌ねじ部にボルトの先端部を螺合させることにより、カバー体をその厚さ方向に移動させると共に、ボルトの回りを回動させることができるようにしたことを特徴とするマンホール蓋の錠前カバー。
【発明の詳細な説明】
【技術分野】
【０００１】
この発明は、マンホール蓋の錠前カバー（以下単に錠前カバーという）に係り、特に、市販のボルトを利用することにより部品点数を削減することができ、構造が簡単な錠前カバーに関する。
【背景技術】
【０００２】
地下共同作業溝の蓋（以下単にマンホール蓋という）の悪戯等による持ち去りや移動を防止するため、マンホール蓋にシリンダ錠を埋設し、その内筒に結合された爪を固定部分に引っ掛けてマンホール蓋を施錠するマンホール蓋の錠前は、例えば後記特許文献１乃至３に記載のように公知である。
【０００３】
この錠前におけるシリンダ錠は、その鍵孔をマンホール蓋上面に開口させなければ施解錠できないから上向きに設置されているのが通常である。
【０００４】
しかし、鍵孔から塵埃や雨水等がシリンダ錠内に侵入すると、デリケートなタンブラーの多数を内蔵している精密器械としてのシリンダ錠がすぐに故障するので、シリンダ錠の鍵孔が開口する前面をカバー（以下錠前カバーという）で覆う必要がある。
【特許文献１】特開平１０−００１９６２号公報
【特許文献２】特開平１１−０３６３４９号公報
【特許文献３】特開２００１−１４０５２０公報
【発明の開示】
【発明が解決しようとする課題】
【０００５】
上記錠前カバーは、その上面を人の靴や自動車のタイアが始終踏みつけるものであるから、構造が簡単で頑丈なものでなければならない。
【０００６】
そこで、この発明は、部品点数を少なくすることができて簡単な錠前カバーを提供することを目的としている。
【課題を解決するための手段】
【０００７】
上記の目的を達成するため、請求項１に記載の発明は、内筒にマンホール蓋を錠止するためのカムを一体に結合し、鍵孔を開口させた前面を上にしてマンホール蓋に埋設されたシリンダ錠において、その前面の鍵孔から離れた位置に係合ピンを突設すると共に、鍵孔に関しこの係合ピンと対称的な位置に有底の軸穴を凹設し、一方、シリンダ錠の前面を覆う形状で厚肉のカバー体の内面中央に、鍵孔を開口させたシリンダ錠のキーガイドとの干渉を避けるための逃げ穴を、上記係合ピンと整合する部分にこれと嵌合する係合孔を夫々凹設すると共に、上記軸穴と整合する部分に、外面から内面に向かって、円形の上面にレンチ穴を開口させたボルトの頭部が収納される凹陥部と、ボルトの雄ねじ部が通る挿通孔とを連設し、他方、雄ねじ部を外面からカバー体に挿通させ、頭部を凹陥部に収納させたボルトの基部に、頭部との間にカバー体を挟むようにして、上記軸穴と回動可能に嵌合する外径を有するカラーを嵌装し、このカラーをボルトの雄ねじ部に嵌着された止め輪で固定し、軸穴の底部に形成した雌ねじ部にボルトの先端部を螺合させることにより、カバー体をその厚さ方向に移動させると共に、ボルトの回りを回動させることができるようにしたことを特徴とする。
【発明の効果】
【０００８】
上記のように構成された請求項１に記載の発明は、ボルトが締め付けられている錠前カバーの作動状態（ロック状態）では、錠前カバーはシリンダ錠の前面を覆っており、鍵孔への塵埃や雨水の侵入を完全に防止することができる。
【０００９】
また、マンホール蓋を開けて地下共同作業溝に入る場合には、カバー体の一端に露呈しているボルトの頭部の例えば六角レンチ孔にレンチを差込み、ボルトを弛める方向に回すと、カバー体はシリンダ錠の前面から浮き上がると共にボルトの回りを回動できるようになるから、シリンダ錠の鍵孔を露呈させることができ、これに合鍵を差込んでマンホール蓋を解錠できる。
【００１０】
更にまた、ボルトを回すことによりカバー体を軸線方向に移動させると共にボルトの回りを回動させることができるので、施錠時カバー体にシリンダ錠の前面を覆わせ、或いは解錠時シリンダ錠の前面を露呈させるという作動を最も簡単な機構により実現させることができ、錠前カバーの構造を簡単にすることができる、種々の効果を奏する。
【発明を実施するための最良の形態】
【００１１】
カバー体の一端に設けた回動軸を、市販のボルトを利用して構成し、その先端をシリンダ錠の軸穴の底部に形成した雌ねじ孔に螺合させたので、カバー体をシリンダ錠の前面から離間させ、或いは近接させるという作動と、カバー体を回動軸を中心として回動させるという作動を同一の機構で実現することができ、錠前カバーの構成を極めて簡単にした。
【実施例１】
【００１２】
以下、この発明の実施例を図面を参照して説明する。
図１において符号１はシリンダ錠を示し、このシリンダ錠１は、鍵孔を開口させた前面を上にしてマンホール蓋２に埋設されている。
【００１３】
このシリンダ錠１の内筒には、マンホール蓋を錠止するためのカム３を一体に結合していることは前記した通りである。
【００１４】
また、図１及び図２に示すように、シリンダ錠１の前面の鍵孔４から離れた位置に係合ピン５を突設されており、また、鍵孔４に関しこの係合ピン５と対称的な位置に有底の軸穴６が凹設されている。
【００１５】
この軸穴６は、通常、シリンダ錠の外筒の一部を半径方向に拡大し、ここに形成するものとする。
【００１６】
一方、シリンダ錠１の上方には、その前面を覆う形状（図示の実施例では略凸字形）で厚肉のカバー体７が配設されている。
【００１７】
このカバー体７の内面中央には、図１に示すように、鍵孔を開口させたシリンダ錠のキーガイド８（図２参照）との干渉を避けるための逃げ穴９が、また、カバー体内面のロック時上記係合ピン５と整合する部分にこれと嵌合する係合孔１１が夫々凹設されている。
【００１８】
また、上記軸穴と整合する部分には、カバー体の外面から内面に向かって、円形の上面にレンチ穴１２（図２参照）を開口させたボルトの頭部が収納される凹陥部１３と、ボルトの雄ねじ部が通る挿通孔１４（図１参照）とが連設されている。
【００１９】
これら凹陥部１３及び挿通孔１４には、図１及び図３に示すように、例えば市販のボルト１５の雄ねじ部を外面からカバー体に挿通させ、頭部を凹陥部１３に収納させたボルトの基部に、頭部との間にカバー体７を挟むようにして、上記軸穴６と回動可能に嵌合する外径を有するカラー１６が嵌装されている。
【００２０】
そして、このカラー１６は、ボルト１５雄ねじ部に嵌着された、例えばＥ−リング等の止め輪１７で固定されている。
【００２１】
上記のようにしてカラー１６を基部に装着したボルト１５及びカバー体７は、図１に示すように、その先端の雄ねじ部を軸穴６の底部に形成した付番しない雌ねじ孔に螺合させ、カラー１６を軸穴に嵌合させた状態でシリンダ錠に装着される。
【００２２】
上記のように構成されたこの発明の一実施例による錠前カバーは、図１に示すようにカバー体７をマンホール蓋２から浮き上がらせ、かつ、その自由端を鍵孔４から離間させた角度位置で、図４に示すように、合鍵１８を鍵孔４に差込んで例えば９０度所定の方向に回動させ、シリンダ錠を施解錠する。
【００２３】
施錠後カバー体７でシリンダ錠を覆う場合には、図５に示すように、カバー体７をボルトの回りで回動させて、シリンダ錠の前記係合ピン５とカバー体７の自由端内面に開口した係合孔１１とを整合させ、その状態でボルト１５を締め込んでいくと、図６に示すように、カバー体７によりシリンダ錠の前面を完全に覆うことができる。
【図面の簡単な説明】
【００２４】
【図１】この発明の一実施例による錠前カバーの一部断面側面図で、カバー体をマンホール蓋から浮き上がらせ、かつその自由端を鍵孔から離間させるように回動させた状態を示す。
【図２】その平面図で、合鍵を差込んでいない状態を示す。
【図３】カバー体を内面側から見た外観斜視図。
【図４】図１に示す錠前カバーの平面図。
【図５】この発明の一実施例による錠前カバーの一部断面側面図で、カバー体をシリンダ錠の前面を覆う角度位置に回動させた状態を示す。
【図６】この発明の一実施例による錠前カバーの一部断面側面図で、カバー体がシリンダ錠の前面を覆ったロック状態を示す。
【符号の説明】
【００２５】
１  シリンダ錠
２  マンホール蓋
３  カム
４  鍵孔
５  係合ピン
６  軸穴
７  カバー体
８  キーガイプ
９  逃げ穴
１１  係合孔
１２  レンチ穴
１３  凹陥部
１４  挿通孔
１５  ボルト
１６  カラー
１７  止め輪
１８  合鍵
【図１】
2005344364.tif 000003
【図２】
2005344364.tif 000004
【図３】
2005344364.tif 000005
【図４】
2005344364.tif 000006
【図５】
2005344364.tif 000007
【図６】
2005344364.tif 000008